(57)【要約】【課題】着用者が脚を動かす場合であっても、下着からずれ難い吸収性物品を提供する。【解決手段】本発明に係る吸収性物品１は、液透過性のトップシート１１、バックシート１２、及び、トップシート１１とバックシート１２との間に配置される吸収体１３を具備する吸収体本体１０と、吸収体本体１０の製品幅方向Ｗの外側に延出する複数のウィング１４とを具備する。ウィング１４の各々に、吸収性物品１を着用者の下着に固定するための接着剤２１Ｂが塗布されており、接着剤２１Ｂが塗布されている領域の周囲に、少なくとも製品長手方向Ｌに延び得る製品長手方向延伸部３０Ａ/３０Ｂ及び製品幅方向Ｗに延び得る製品幅方向延伸部３１Ａ/３１Ｂが形成されている。【選択図】図３
2014150888.tif 000002
【特許請求の範囲】
【請求項１】
製品長手方向及び製品幅方向を有しており、
液透過性のトップシート、バックシート、及び、前記トップシートと前記バックシートとの間に配置される吸収体を具備する吸収体本体と、
前記吸収体本体の前記製品幅方向外側に延出する複数のウィングとを具備する吸収性物品であって、
前記ウィングの各々に、前記吸収性物品を着用者の下着に固定するための接着剤が塗布されており、
前記接着剤が塗布されている領域の周囲に、少なくとも前記製品長手方向に延び得る製品長手方向延伸部及び前記製品幅方向に延び得る製品幅方向延伸部が形成されていることを特徴とする吸収性物品。
【請求項２】
前記製品長手方向延伸部と前記接着剤が塗布されている領域との間の距離は、前記製品幅方向延伸部と前記接着剤が塗布されている領域との間の距離よりも長くなるように構成されていることを特徴とする請求項１に記載の吸収性物品。
【請求項３】
前記製品長手方向延伸部及び前記製品幅方向延伸部は、前記接着剤が塗布されている領域に重複しないように配置されていることを特徴とする請求項１又は２に記載の吸収性物品。
【請求項４】
前記製品長手方向延伸部として、少なくとも第１製品長手方向延伸部及び第２製品長手方向延伸部が形成されており、
前記第１製品長手方向延伸部は、前記第２製品長手方向延伸部よりも、前記接着剤が塗布されている領域側に配置されており、
前記第１製品長手方向延伸部と前記接着剤が塗布されている領域との間の距離は、前記第１製品長手方向延伸部と前記第２製品長手方向延伸部との間の距離よりも長くなるように構成されていることを特徴とする請求項１乃至３のいずれか一項に記載の吸収性物品。
【請求項５】
前記製品幅方向延伸部として、少なくとも第１製品幅方向延伸部及び第２製品幅方向延伸部が形成されており、
前記第１製品幅方向延伸部は、前記第２製品幅方向延伸部よりも、前記接着剤が塗布されている領域側に配置されており、
前記第１製品幅方向延伸部と前記接着剤が塗布されている領域との間の距離は、前記第１製品幅方向延伸部と前記第２製品幅方向延伸部との間の距離よりも長くなるように構成されていることを特徴とする請求項１乃至４のいずれか一項に記載の吸収性物品。
【請求項６】
複数の前記製品幅方向延伸部及び前記製品長手方向延伸部が形成されており、
前記製品幅方向延伸部同士の間隔は、前記製品長手方向延伸部同士の間隔よりも狭くなるように構成されていることを特徴とする請求項１乃至５のいずれか一項に記載の吸収性物品。
【請求項７】
複数の前記製品幅方向延伸部及び前記製品長手方向延伸部が形成されており、
前記製品幅方向延伸部の数は、前記製品長手方向延伸部の数よりも多くなるように構成されていることを特徴とする請求項１乃至５のいずれか一項に記載の吸収性物品。
【請求項８】
前記製品長手方向延伸部及び前記製品幅方向延伸部によって閉曲線が形成さるように構成されていることを特徴とする請求項１乃至７のいずれか一項に記載の吸収性物品。
【発明の詳細な説明】
【技術分野】
【０００１】
本発明は、吸収性物品に関する。
【背景技術】
【０００２】
一般的に、生理用ナプキンのウィングの各々には、着用者の下着に固定するための接着剤が塗布されている（特許文献１参照）。
【０００３】
図１０（ａ）に示すように、かかる生理用ナプキンが下着に着用されている状態で、着用者が脚を動かす場合、図１０（ｂ）に示すように、生理用ナプキンのウィングの各々に加わる力の影響によって、下着とウィングとの間の接着状態を維持することが難しくなり、下着から生理用ナプキンがずれやすいという問題点がある。
【０００４】
かかる問題点を解決するために、特許文献２に、生理用ナプキンにおいて、接着剤が塗布されている領域の周囲に製品幅方向に延び得る延伸部を設ける技術について開示されている。
【０００５】
かかる技術によれば、生理用ナプキンが下着に着用されている状態で、着用者が脚を動かす場合であっても、かかる延伸部が製品幅方向に延びることによって、ウィングの各々に加えられる製品幅方向の力による影響を抑制することができる。
【先行技術文献】
【特許文献】
【０００６】
【特許文献１】米国特許５４２８０５２
【特許文献２】国際公開ＷＯ９７/１２５７６
【発明の概要】
【発明が解決しようとする課題】
【０００７】
しかしながら、生理用ナプキンが下着に着用されている状態で、着用者が脚を動かす場合には、図１０（ｂ）に示すように、ウィングの各々に対して、製品幅方向だけではなく製品長手方向にも力が加わるため、特許文献２に開示されている技術では、製品長手方向に加わる力による影響を抑制することができないという問題点があった。
【０００８】
そこで、本発明は、このような状況に鑑みてなされたものであり、着用者が脚を動かす場合であっても、下着からずれ難い吸収性物品を提供することを目的とする。
【課題を解決するための手段】
【０００９】
本発明の第１の特徴は、製品長手方向及び製品幅方向を有しており、液透過性のトップシート、バックシート、及び、前記トップシートと前記バックシートとの間に配置される吸収体を具備する吸収体本体と、前記吸収体本体の前記製品幅方向外側に延出する複数のウィングとを具備する吸収性物品であって、前記ウィングの各々に、前記吸収性物品を着用者の下着に固定するための接着剤が塗布されており、前記接着剤が塗布されている領域の周囲に、少なくとも前記製品長手方向に延び得る製品長手方向延伸部及び前記製品幅方向に延び得る製品幅方向延伸部が形成されていることを要旨とする。
【発明の効果】
【００１０】
以上説明したように、本発明によれば、着用者が脚を動かす場合であっても、下着からずれ難い吸収性物品を提供することができる。
【図面の簡単な説明】
【００１１】
【図１】本発明の第１の実施形態に係る吸収性物品の展開平面図（非肌当接面側）である。
【図２】図１に示すＸ-Ｘ’線に沿った本実施形態に係る吸収性物品の断面図である。
【図３】本発明の第１の実施形態に係る吸収性物品の展開平面図（非肌当接面側）におけるウィングの拡大図である。
【図４】図３に示すＡ-Ａ’線に沿った本実施形態に係る吸収性物品のウィングの断面図である。
【図５】図３に示すＢ-Ｂ’線に沿った本実施形態に係る吸収性物品のウィングの断面図である。
【図６】本発明の第１の実施形態に係る吸収性物品を下着に装着した状態を示す図である。
【図７】本発明の変更例１に係る吸収性物品の展開平面図（非肌当接面側）である。
【図８】図３に示すＡ-Ａ’線に沿った本発明の変更例２に係る吸収性物品のウィングの断面図である。
【図９】本発明の変更例３に係る吸収性物品の展開平面図（非肌当接面側）におけるウィングの拡大図である。
【図１０】従来技術を説明するための図である。
【発明を実施するための形態】
【００１２】
図１乃至図６を参照して、本発明の第１の実施形態に係る吸収性物品１について説明する。
【００１３】
なお、以下の図面の記載において、同一又は類似の部分には、同一又は類似の符号を付している。ただし、図面は模式的なものであり、各寸法の比率等は現実のものとは異なることに留意すべきである。
【００１４】
したがって、具体的な寸法等は、以下の説明を参酌して判断すべきである。また、図面相互間においても互いの寸法の関係や比率が異なる部分が含まれ得る。
【００１５】
図１は、個包装から取り出した後に肌当接面側から見た吸収性物品１の展開平面図であり、図２は、図１に示すＸ-Ｘ’線に沿った吸収性物品１の断面図であり、図３は、図１における吸収性物品１のウィング１４の拡大図であり、図４は、図３に示すＡ-Ａ’線に沿った吸収性物品１のウィング１４の断面図であり、図５は、図３に示すＢ-Ｂ’線に沿った吸収性物品１のウィング１４の断面図であり、図６は、吸収性物品１を下着に装着した状態を示す図である。
【００１６】
本実施形態に係る吸収性物品１は、生理用ナプキンやパンティーライナー（おりものシート）や失禁パッド等の吸収性物品である。
【００１７】
図１に示すように、本実施形態に係る吸収性物品１は、製品長手方向Ｌ及び製品幅方向Ｗを有している。
【００１８】
また、図１に示すように、本実施形態に係る吸収性物品１は、吸収体本体１０と、吸収体本体１０の製品幅方向Ｗ外側に延出する複数のウィング１４とを具備している。
【００１９】
ここで、図２に示すように、吸収体本体１０は、液透過性のトップシート１１と、バックシート１２と、トップシート１１とバックシート１２との間に配置される吸収体１３を具備している。
【００２０】
ここで、トップシート１１を構成する材料としては、不織布や織布や有孔プラスチックシートやメッシュシート等といった液体を透過する構造のシート状の材料であれば、任意の材料を使用することができる。また、不織布や織布の素材としては、天然繊維又は化学繊維のいずれも使用することができる。
【００２１】
また、バックシート１２を構成する材料としては、ポリエチレンシートや、炭酸カルシウムや硫酸バリウムを含んだ通気フィルムや、ポリプロピレン等を主体としたラミネート不織布や、通気性の樹脂フィルムや、スパンボンド又はスパンレース等の不織布に通気性の樹脂フィルムが接合されたシート等を使用することができる。
【００２２】
なお、バックシート１２を構成する材料としては、着用時の違和感を生じさせない程度の柔軟性を有する材料を使用することが好ましい。また、バックシート１２は、不透液性且つ透湿性であることが望ましく、例えば、ポリエチレンやポリプロピレン等のオレフィン系樹脂に無機充填剤を溶融混練したものを延伸処理した微多孔性シートによって構成することもできる。
【００２３】
また、吸収体１３は、親水性繊維やパルプを含む。吸収体１３は、経血等の体液を吸収可能な材料によって形成される。
【００２４】
吸収体１３は、親水性繊維又は粉体をエアレイド法によって積層して形成されてもよいし、親水性繊維又は粉体をエアレイド法によってシート状に成形したエアレイドシートでもよいし、ティッシュ（例えば、目付１５ｇ/ｍ２）上に高吸収ポリマーを混入した粉砕パルプを配置し、ティッシュで包むことによって形成されていてもよい。
【００２５】
例えば、本実施形態では、吸収体１３は、綿状パルプや合成パルプ等を坪量１００〜３００ｇ/ｍ２程度に積層したパルプを保護紙（図示せず）で包むことによって構成されている。
【００２６】
なお、吸収体１３は、全面ほぼ均一な厚みであってもよいし、非均一な厚みであってもよい。保護紙は、パルプの形状を保持するためのものであり、保護紙としては、例えば、クレープ紙やティッシュペーパー等を使用することができる。
【００２７】
図１に示すように、吸収体本体１０の非肌当接面側に、吸収性物品１を着用者の下着に固定するための接着剤２１Ａが塗布されている。例えば、かかる接着剤２１Ａの塗布パターンは、図１に示すように、製品幅方向Ｌに延びる複数のパターンで形成されていてもよい。  
また、図１に示すように、複数のウィング１４の各々の非肌当接面側に、吸収性物品１を着用者の下着に固定するための接着剤２１Ｂが塗布されている。
【００２８】
図３に示すように、本実施形態に係る吸収性物品１では、接着剤２１Ｂが塗布されている領域の周囲に、少なくとも製品長手方向Ｌに延び得る製品長手方向延伸部３０Ａ/３０Ｂ及び製品幅方向Ｗに延び得る製品幅方向延伸部３１Ａ/３１Ｂが形成されている。
【００２９】
また、図４及び図５に示すように、ウィング１４では、サイドシート１４０及びバックシート１２が、ホットメルト接着剤等で接合されている。なお、サイドシート１４０とバックシートの間に補強シートが設けられていてもよい。
【００３０】
ここで、かかるサイドシート１４０を構成する材料としては、不織布や織布や有孔プラスチックシートやメッシュシート等を使用することができ、かかるサイドシートは、液体を透過する構造であってもよいし、液体を透過しない構造であってもよい。
【００３１】
ただし、かかるサイドシート１４０を乗り越えて吸収性物品１外方へ経血が流れることを防止するためには、かかるサイドシート１４０を構成する材料は、疎水性又は撥水性を有することが好ましい。
【００３２】
例えば、本実施形態では、かかるサイドシート１４０は、エアースルー不織布によって構成されている。エアースルー不織布は、柔らかく肌触りがよい。身体に沿ってウィング１４を配置した際に、ウィング１４の質感を向上させることにより、装着感をより向上させることができる。
【００３３】
例えば、製品長手方向延伸部３０Ａ/３０Ｂ及び製品幅方向延伸部３１Ａ/３１Ｂは、図４及び図５に示すように、ウィング１４内で接着剤２１Ｂが塗布されている領域の周囲において、バックシート１２側から賦型処理を施すことによって形成されている。
【００３４】
なお、製品長手方向延伸部３０Ａ/３０Ｂ及び製品幅方向延伸部３１Ａ/３１Ｂは、周辺領域よりも低密度のフィルムとする等の任意の方法で形成され得るものとする。
【００３５】
ここで、製品長手方向延伸部３０Ａ/３０Ｂ及び製品幅方向延伸部３１Ａ/３１Ｂの深さＤは、０.３〜１.５ｍｍであることが好ましい。
【００３６】
かかる深さＤが１.５ｍｍよりも深くなると、バックシート１２が破れやすくなってしまい、かかる深さＤが０.３ｍｍよりも浅くなると、製品長手方向延伸部３０Ａ/３０Ｂ及び製品幅方向延伸部３１Ａ/３１Ｂとしての機能を発揮しなくなってしまう。
【００３７】
例えば、かかる深さＤは、以下のように測定することができる。
【００３８】
第１に、製品長手方向延伸部３０Ａ/３０Ｂ及び製品幅方向延伸部３１Ａ/３１Ｂを含む部分を切り取って、評価用サンプルとする。
【００３９】
第２に、かかる評価用サンプルの製品長手方向延伸部３０Ａ/３０Ｂ及び製品幅方向延伸部３１Ａ/３１Ｂが形成されている面を上に向けて水平な平面上に貼り付ける。
【００４０】
第３に、かかる平面を基準面として、非接触式のキーエンス形状測定器ＫＳ-１１００を用いて、かかる基準面に対する評価用サンプルの各部位における表面の高さを測定した。
【００４１】
第４に、かかる基準面に対する評価用サンプルの各部位における表面の高さの比較によって、上述の深さＤを算出した。
【００４２】
なお、本発明に係る吸収性物品１では、少なくとも１つの製品長手方向延伸部３０及び少なくとも１つの製品長手方向延伸部３１が形成されていればよい。
【００４３】
図３に示すように、製品長手方向延伸部３０Ａは、製品長手方向延伸部３０Ｂよりも、接着剤２１Ｂが塗布されている領域側に配置されており、製品幅方向延伸部３１Ａは、製品幅方向延伸部３１Ｂよりも、接着剤２１Ｂが塗布されている領域側に配置されている。
【００４４】
また、図３に示すように、本実施形態に係る吸収性物品１では、ウィング１４内で接着剤２１Ｂが塗布されている領域の周囲において、製品長手方向延伸部３０Ａ及び製品幅方向延伸部３１Ａによって閉曲線が形成されており、製品長手方向延伸部３０Ｂ及び製品幅方向延伸部３１Ｂによって閉曲線が形成されていてもよい。
【００４５】
ここで、本発明に係る吸収性物品１では、ウィング１４内で接着剤２１Ｂが塗布されている領域の周囲において、製品長手方向延伸部３０Ａ及び製品幅方向延伸部３１Ａによって閉曲線が形成されていてなくてもよい、すなわち、製品長手方向延伸部３０Ａの端部及び製品幅方向延伸部３１Ａの端部が連続していなくてもよい。
【００４６】
同様に、本発明に係る吸収性物品１では、製品長手方向延伸部３０Ｂ及び製品幅方向延伸部３１Ｂによって閉曲線が形成されていなくてもよい、すなわち、製品長手方向延伸部３０Ｂの端部及び製品幅方向延伸部３１Ｂの端部が連続していなくてもよい。
【００４７】
また、製品長手方向延伸部３０及び製品幅方向延伸部３１は、接着剤２１Ｂが塗布されている領域に重複しないように配置されていてもよい。
【００４８】
例えば、製品長手方向延伸部３０Ｂと接着剤２１Ｂが塗布されている領域との間の距離Ｌ１は、５ｍｍ以上であることが好ましく、製品幅方向延伸部３１Ｂと接着剤２１Ｂが塗布されている領域との間の距離Ｗ１は、３ｍｍ以上であることが好ましい。
【００４９】
かかる構成によれば、接着剤２１Ｂによる下着への接着力の低下を回避することができる。
【００５０】
図６に示すように、下着１００のクロッチ部の非肌当接面側面にウィング１４が折り曲げられて止められている場合、製品長手方向延伸部３０Ａ/３０Ｂ及び製品幅方向延伸部３１Ａ/３１Ｂは、着用者の身体の動き等に応じて容易に延びることができる。
【００５１】
また、図１に示すように、吸収性物品１の製品幅方向の中心Ｏ側の製品幅方向延伸部３１Ｂと吸収性物品１の製品幅方向の中心Ｏとの間の距離Ｗ３は、３５ｍｍ以上であることが好ましい。
【００５２】
通常、下着のクロッチ部の幅は、４０〜７０ｍｍであるため、かかる距離Ｗ３が、３５ｍｍ未満であると、吸収性物品１を下着に装着する際に、吸収性物品１の製品幅方向の中心Ｏ側の製品幅方向延伸部３１Ｂは、下着のクロッチ部の肌当接面側に現れるため、本来の機能を発揮することができない。
【００５３】
一般的に、吸収性物品１を下着に装着した状態で、着用者が脚を動かす場合には、吸収性物品１の製品長手方向Ｌの力よりも吸収性物品１の製品長手方向Ｌの力の方が、吸収性物品１のウィング１４（すなわち、接着剤２１Ｂが塗布されている領域）に対して強くかかる。
【００５４】
したがって、製品幅方向延伸部３１の数は、製品長手方向延伸部３０の数よりも多くなるように構成されていてもよい。
【００５５】
また、図４及び図５に示すように、製品長手方向延伸部３０Ｂと接着剤２１Ｂが塗布されている領域との間の距離Ｌ１は、製品幅方向延伸部３１Ｂと接着剤２１Ｂが塗布されている領域との間の距離Ｗ１よりも長くなるように構成されていてもよい。
【００５６】
ここで、製品長手方向延伸部３０Ｂ及び製品幅方向延伸部３１Ｂのうち接着剤２１Ｂが塗布されている領域との距離が短い方が着用者の動きに応じて延び易く、吸収性物品１のウィング１４が製品幅方向Ｗに延び易い方が着用者の動きに追随し易い。したがって、上述の距離Ｌ１が上述の距離Ｗ１よりも長い方が好ましい。
【００５７】
また、吸収性物品１のウィング１４が製品長手方向Ｌに延び難い方が吸収性物品１を下着から剥がし易い。したがって、上述の距離Ｌ１が上述の距離Ｗ１よりも長い方が好ましい。
【００５８】
さらに、製造工程において、搬送方向ＭＤ（製品長手方向Ｌに対応）の安定性の方が、交差方向ＣＤ（製品幅方向Ｗに対応）の安定性よりも低いため、搬送方向ＭＤで生じ易いズレが５ｍｍ程度であり、交差方向ＣＤで生じ易いズレが３ｍｍ程度であることを考慮すると、搬送方向ＭＤにおけるスペース（上述の距離Ｌ１）の方が交差方向ＣＤにおけるスペース（上述の距離Ｗ１）よりも広い（長い）ことが好ましい。  図４に示すように、製品幅方向延伸部３１Ａと接着剤２１Ｂが塗布されている領域との間の距離Ｗ１は、製品幅方向延伸部３１Ａと製品幅方向延伸部３１Ｂとの間の距離Ｗ２よりも長くなるように構成されていてもよい。
【００５９】
図５に示すように、製品長手方向延伸部３０Ａと接着剤２１Ｂが塗布されている領域との間の距離Ｌ１は、製品長手方向延伸部３０Ａと製品長手方向延伸部３０Ｂとの間の距離Ｌ２よりも長くなるように構成されていてもよい。
【００６０】
図４及び図５に示すように、製品幅方向延伸部３１同士の間隔Ｄ２は、製品長手方向延伸部３０同士の間隔Ｄ１よりも狭くなるように構成されていてもよい。
【００６１】
本実施形態に係る吸収性物品１によれば、下着に装着時に、着用者が脚を動かす場合に、製品長手方向延伸部３０Ａ/３０Ｂが製品長手方向Ｌの延び、製品幅方向延伸部３１Ａ/３１Ｂが製品幅方向Ｗに延びることができるため、吸収性物品１が下着からずれ難いという効果を奏することができる。
【００６２】
（変更例１）
図７に示すように、本発明の変更例１に係る吸収性物品１は、夜用の生理用ナプキンである。
【００６３】
図７に示すように、本変更例１に係る吸収性物品１では、複数のウィング１４の各々の非肌当接面側に、吸収性物品１を着用者の下着に固定するための接着剤２１Ｂが塗布されていると共に、ヒップフラップ１５の各々の非肌当接面側にも、吸収性物品１を着用者の下着に固定するための接着剤２１Ｃが塗布されている。
【００６４】
図７に示すように、本変更例１に係る吸収性物品１では、ヒップフラップ１５内で接着剤２１Ｃが塗布されている領域の周囲に、少なくとも製品長手方向Ｌに延び得る製品長手方向延伸部３０Ａ/３０Ｂ及び製品幅方向Ｗに延び得る製品幅方向延伸部３１Ａ/３１Ｂが形成されている。
【００６５】
ここで、図７に示すように、吸収性物品１の製品幅方向の中心線Ｏ１側の製品幅方向延伸部３１Ｂと吸収性物品１の製品幅方向の中心線Ｏ１との間の距離Ｗ４は、４５ｍｍ以上であることが好ましい。
【００６６】
なお、かかる距離Ｗ４が、４５ｍｍ未満であると、吸収性物品１の製品幅方向の中心線Ｏ１側の製品幅方向延伸部３１Ｂ及びトップシート１１が重なってしまい、かかる製品幅方向延伸部３１Ｂは、本来の機能を発揮することができない。
【００６７】
（変更例２）
図８（ａ）に示すように、本発明の変更例２に係る吸収性物品１では、製品長手方向延伸部３０Ａの深さＤ１が、製品長手方向延伸部３０Ｂの深さＤ２よりも深くなるように構成されていてもよい。
【００６８】
同様に、本発明の変更例２に係る吸収性物品１では、製品幅方向延伸部３１Ａの深さＤ１が、製品幅方向延伸部３１Ｂの深さＤ２よりも深くなるように構成されていてもよい。
【００６９】
例えば、隣接する製品長手方向延伸部３０のうち、接着剤２１Ｂが塗布されている領域に近い側の製品長手方向延伸部３０（例えば、製品長手方向延伸部３０Ａや製品幅方向延伸部３１Ａ）の深さは、接着剤２１Ｂが塗布されている領域から側の製品長手方向延伸部３０（例えば、製品長手方向延伸部３０Ｂや製品幅方向延伸部３１Ｂ）の深さと比べて、１ｍｍ（又は、１０％）未満の深さの分だけ深くなるように構成されていることが好ましい。
【００７０】
両者の深さの差が１ｍｍ（又は、１０％）未満である場合、吸収性物品１の製造時の影響を小さくすることができる。
【００７１】
或いは、図８（ｂ）に示すように、本発明の変更例２に係る吸収性物品１では、製品長手方向延伸部３０Ａの幅Ｗ１０が、製品長手方向延伸部３０Ｂの幅Ｗ１１よりも広くなるように構成されていてもよい。
【００７２】
同様に、本発明の変更例２に係る吸収性物品１では、製品幅方向延伸部３１Ａの幅Ｗ１０が、製品幅方向延伸部３１Ｂの幅Ｗ１１よりも広くなるように構成されていてもよい。
【００７３】
例えば、隣接する製品長手方向延伸部３０のうち、接着剤２１Ｂが塗布されている領域に近い側の製品長手方向延伸部３０（例えば、製品長手方向延伸部３０Ａや製品幅方向延伸部３１Ａ）の幅は、接着剤２１Ｂが塗布されている領域から側の製品長手方向延伸部３０（例えば、製品長手方向延伸部３０Ｂや製品幅方向延伸部３１Ｂ）の幅と比べて、１ｍｍ（又は、１０％）未満の幅の分だけ広くなるように構成されていることが好ましい。
【００７４】
（変更例３）
本発明の変更例３に係る吸収性物品１では、製品長手方向延伸部３０Ａ/３０Ｂ及び製品幅方向延伸部３１Ａ/３１Ｂは、直線や閉曲線以外の形状によって形成されていてもよい。
【００７５】
例えば、製品長手方向延伸部３０Ａ/３０Ｂ及び製品幅方向延伸部３１Ａ/３１Ｂは、図９（ａ）に示すように、波形形状によって形成されていてもよいし、図９（ｂ）に示すように、ドット状形状によって形成されていてもよい。
【００７６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７７】
１…吸収性物品
１０…吸収体本体
１１…トップシート
１２…バックシート
１３…吸収体
１４…ウィング
１４０…サイドシート
１５…ヒップフラップ
２１Ａ、２１Ｂ、２１Ｃ…接着剤
３０Ａ、３０Ｂ…製品長手方向延伸部
３１Ａ、３１Ｂ…製品幅方向延伸部
【図１】
2014150888.tif 000003
【図２】
2014150888.tif 000004
【図３】
2014150888.tif 000005
【図４】
2014150888.tif 000006
【図５】
2014150888.tif 000007
【図６】
2014150888.tif 000008
【図７】
2014150888.tif 000009
【図８】
2014150888.tif 000010
【図９】
2014150888.tif 000011
【図１０】
2014150888.tif 000012